(57)【要約】【課題】屋根パネルの母屋への位置決め、固定を同一部材で行わせることで、位置決め作業、固定作業をスムーズに行わせて屋根パネルの母屋への取付施工を良好にできる屋根パネル取付構造を提供する。【解決手段】野地板２に垂木３を取り付けてパネル化した屋根パネル１を型枠状の横架材である母屋４に載置する。屋根パネル１と母屋４との間に垂木固定部８と引掛け部９とからなる屋根用取付具７を配置する。垂木固定部８を屋根パネル１の垂木３に固定する。上横片９ａと縦片９ｂと下横片９ｃとで水下側に開口せる側面視コ字状に形成した引掛け部９を母屋４の上面のフランジ６に上方且つ水上側から引掛け係止する。フランジ６の下方に配置した下横片９ｃにボルトのような固定具１０を設ける。固定具１０の先端と母屋４のフランジ６の上面に載置した上横片９ａとでフランジ６を挟持する。【選択図】        図１
2004324364.tif 000002
【特許請求の範囲】
【請求項１】
野地板に垂木を取り付けてパネル化した屋根パネルを型枠状の横架材である母屋に載置し、屋根パネルと母屋との間に垂木固定部と引掛け部とからなる屋根用取付具を配置し、垂木固定部を屋根パネルの垂木に固定すると共に、上横片と縦片と下横片とで水下側に開口せる側面視コ字状に形成した引掛け部を母屋の上面のフランジに上方且つ水上側から引掛け係止し、フランジの下方に配置した下横片にボルトのような固定具を設け、この固定具の先端と母屋のフランジの上面に載置した上横片とでフランジを挟持したことを特徴とする屋根パネル取付構造。
【請求項２】
屋根用取付具の垂木固定部と引掛け部の上横片とを回転自在に枢支連結したことを特徴とする請求項１記載の屋根パネル取付構造。
【発明の詳細な説明】
【０００１】
【発明の属する技術分野】
本発明は、屋根パネルを母屋に取り付ける屋根用取付具に関する発明である。
【０００２】
【従来の技術】
従来から、勾配屋根は、野地板２に垂木３を取り付けてパネル化した屋根パネル１を、屋根の傾斜に合わせて配設された複数本の横架材である母屋４にわたして載設させることで形成されている。そして、母屋４が型枠状の金属梁で構成された場合には、屋根パネル１の母屋４への取り付けにあっては、図５のような屋根用取付具７’を用いて行われていた。
【０００３】
この屋根用取付具７’は略矩形状の金属板であり、母屋４の上面のフランジ６に差し込み嵌合する差込スリット２１を水下側の側縁から略水平に切り込み、垂木３に打入するビスや釘等の固定具１２が挿通される挿通孔１１を穿孔している。そして、屋根用取付具７’を用いた屋根パネルの母屋への取付構造は、図６のように、たとえば母屋４をＩ型鋼材で構成した場合、傾けて配置した屋根パネル１の垂木３を母屋４の上面の水下側端縁に載置し、母屋４の水上側端縁に屋根用取付具７’の差込スリット２１を差し込むようにして屋根用取付具７’を母屋４に取り付け、屋根用取付具７’の板面を垂木３の側面に当接すると共に屋根用取付具７’の挿通孔１１に固定具１２を挿通させて垂木３に打入し、屋根用取付具７’を介して屋根パネル１と母屋４とを固定している（たとえば、特許文献１参照）。
【０００４】
【特許文献１】
実開昭６３−１８７６２２号公報
【０００５】
【発明が解決しようとする課題】
ところで、上記屋根パネルの取付構造にかかる施工作業は、まず、屋根パネル１をクレーンなどで持ち上げ、垂木３に引掛け治具２０を取り付ける。なお、この引掛け治具２０は図７のような金属製の線材であって、長手方向の一端に垂木３の側面に穿孔した治具用孔（図示せず）に枢支する枢支部２０ａを有し、他端に母屋４に水上側から引掛ける折曲部２０ｂを有したものである。次に、図８のように、クレーンで持ち上げた屋根パネル１を母屋４に水上側且つ上方から近接させ（矢印Ｂ）、引掛け治具２０の折曲部２０ｂを母屋４にその水上側から引掛けることで、屋根パネル１を母屋４の上面の水下側端縁に位置決めして載置する。しかる後に、図６のように、母屋４の水上側端縁を構成したフランジ６に差込スリット２１を挿し込んで母屋４に屋根用取付具７’を取り付け、この屋根用取付具７’の挿通孔１１に固定具１２を挿通して屋根パネル１の垂木３に打入し、屋根用取付具７’を介して屋根パネル１と母屋４との固定をする、といったように行われている。なお、屋根パネル１を母屋４に取り付けた後には、引掛け治具２０は垂木３から取り外されて再使用される。
【０００６】
ところで、この屋根パネルの取付構造における施工作業にあっては、屋根パネル１の母屋４への位置決めのためだけに使用され且つ施工後には不必要になって取り外すこととなる引掛け治具２０を用いることが必要とされている。つまりこの引掛け治具２０を用いねばならない施工のため、作業数が増加して施工作業が煩雑であると共に、施工性が悪いといった問題があった。
【０００７】
本発明は上記の点に鑑みてなされたものであり、屋根パネルの母屋への位置決め、固定を同一部材で行わせることで、位置決め作業、固定作業をスムーズに行わせて屋根パネルの母屋への取付施工を良好にできる屋根パネル取付構造を提供することを課題とするものである。
【０００８】
【課題を解決するための手段】
上記課題を解決するために本発明に係る屋根パネル取付構造は、野地板２に垂木３を取り付けてパネル化した屋根パネル１を型枠状の横架材である母屋４に載置し、屋根パネル１と母屋４との間に垂木固定部８と引掛け部９とからなる屋根用取付具７を配置し、垂木固定部８を屋根パネル１の垂木３に固定すると共に、上横片９ａと縦片９ｂと下横片９ｃとで水下側に開口せる側面視コ字状に形成した引掛け部９を母屋４の上面のフランジ６に上方且つ水上側から引掛け係止し、フランジ６の下方に配置した下横片９ｃにボルトのような固定具１０を設け、この固定具１０の先端と母屋４のフランジ６の上面に載置した上横片９ａとでフランジ６を挟持したことを特徴とする。
【０００９】
これによると、垂木３に屋根用取付具７を取り付けた屋根パネル１を母屋４に水上側から近接させると、屋根用取付具７の引掛け部９が母屋４のフランジ６にその水上側から引っ掛かって母屋４に対して屋根パネル１を位置決めでき、この位置決めした状態で、屋根用取付具７の引掛け部９の下横片９ｃに設けた固定具１０の先端をフランジ６に押し当てると、固定具１０と上横片９ａとでフランジ６を挟持、固定できるのであり、つまり母屋４に対する屋根パネル１の位置決め、固定作業が、従来のように引掛け治具２０なるものを用いずとも屋根用取付具７のみで行わせることができると共にその施工作業もスムーズに行うことができ、施工性を向上できる。
【００１０】
また、屋根用取付具７の垂木固定部８と引掛け部９の上横片９ａとを回転自在に枢支連結したことも好ましい。これによると、屋根パネル１に屋根用取付具７を取り付けた状態では、引掛け部９が自重によって屋根パネル１から吊り下げられた状態となり、つまり引掛け部９が略垂直状態となって母屋４と接触し易くなり、引掛け部９を母屋４に引掛け易くできる。
【００１１】
【発明の実施の形態】
本発明は屋根パネル１の母屋４への取付構造であって、その取り付け施工を良好にすることに主旨を有するものである。以下、本発明を添付図面に示す実施形態に基づいて説明する。
【００１２】
図２に示すように、屋根パネル１は、上面が屋根面を構成する野地板２の下面に軒棟方向に長い垂木３がケラバ方向に複数本配設されてパネル化されたものである。また、母屋４は上記屋根パネル１が載設されて屋根の重量を支える横架材である。本例の母屋４には金属製の長尺型枠材（Ｉ型鋼材）が用いられている。詳しくは、Ｉ型鋼材の母屋４の縦断面は、垂直に立設したウェブ５の上下端からそれぞれフランジ６を水平に突出して形成されている。この母屋４は屋根の傾斜に合わせた位置に複数本架設されている。そして、この複数本の母屋４における水下側フランジ６の各端縁に傾斜させた屋根パネル１の垂木３を載置し、交わる垂木３と母屋４とを固定することで、屋根パネル１による傾斜屋根が形成されるようになっている。図１，２には、上記交わる垂木３と母屋４との固定構造、つまり屋根パネル１の母屋４への取付構造を示しているが、この図からも分かるように、屋根パネル１と母屋４との間に配設された屋根用取付具７によって、屋根パネル１の母屋４への取り付けが行われている。
【００１３】
屋根用取付具７は耐荷重性に優れた金属部材であり、図３に示すように、垂木固定部８と引掛け部９とで主体が構成されている。ここで、垂木固定部８は、下方から垂木３に被せて垂木３に屋根用取付具７を固定させる部位であり、具体的には、垂木３の下面に沿わせる底片８ａと垂木３の側面に沿わせる一対の側片８ｂとで正面視Ｕ字状に形成されている。なお、側片８ｂには、垂木３の側面に打入させる釘やビス等の固定具１２（図１）を挿入させる挿通孔１１が複数穿孔されている。また、底片８ａにおける垂木３の長手方向の一端（本例では水下側の一端）には筒状の第１の軸受部１３がその軸方向を略水平方向に向けるように形成されている。
【００１４】
また、引掛け部９は、母屋４に引掛けて母屋４に屋根用取付具７を固定させる部位であり、具体的には、上横片９ａと縦片９ｂと下横片９ｃとで水下側に開口せる側面視コ字状に形成されている。更に言うと、上横片９ａの水上側から縦片９ｂが垂下されており、縦片９ｂの下端からは下横片９ｃが上横片９ａに平行して水下側に突設されている。なお、上横片９ａの水下側には筒状の第２の軸受部１４がその軸方向を略水平方向に向けるように形成されている。詳しくは、第２の軸受部１４は軸方向に間隔を有して１対形成されている。また、上横片９ａに対面する下横片９ｃにはその表裏に貫通する貫通孔１５が穿孔されている。この貫通孔１５には、後述する母屋４の水上側フランジ６ａを上横片９ａに押し付けるためのボルトのような固定具１０が、その先端を上横片９ａに向けて挿通される。本例では、固定具１０の軸部１０ａにおねじが刻設され、この軸部１０ａにナット１６が螺合され、固定具１０の頭部１０ｂとナット１６とで下横片９ｃを挟持することで、固定具１０を下横片９ｃに設けるようにしている。無論、貫通孔１５にめねじを刻設し、固定具１０の軸部１０ａに刻設されたおねじを貫通孔１５のめねじに螺合させることで、固定具１０を下横片９ｃに設けてもよい。
【００１５】
そして、上記垂木固定部８と引掛け部９とは、引掛け部９の１対の第２の軸受部１４の間に垂木固定部８の第１の軸受部１３を同軸線状に配置して連通させ、連通した第１の軸受部１３と第２の軸受部１４とに軸部材１７を挿通させることで、引掛け部９が垂木固定部８に対して自由状態で吊り下げられるように回転自在に枢支連結されている。なお、軸部材１７は本例ではボルト１７ａとナット１７ｂで構成されている。
【００１６】
屋根パネル１の母屋４への取付構造にあっては、上述したように屋根パネル１と母屋４とは屋根用取付具７を介して固定されるのであるが、これを以下に詳述する。まず、屋根用取付具７の屋根パネル１への固定は、屋根パネル１の垂木３に下方から垂木固定部８を被せるように屋根用取付具７を配置し、垂木固定部８の側片８ｂの挿通孔１１に固定具１２を挿通させて該固定具１２の先端を垂木３に打入させることで行われる。また、屋根用取付具７の母屋４への固定は、屋根用取付具７の引掛け部９を母屋４の上面の水上側フランジ６ａに上方且つ水上側から引掛け係止し、下横片９ｃに設けた固定具１０と上横片９ａとで上記水上側フランジ６ａを挟持することで行われる。詳しくは、引掛け部９を水上側フランジ６ａに引掛け係止した状態では、引掛け部９の上横片９ａは水上側フランジ６ａの上面に載置され、縦片９ｂは水上側フランジ６ａの水上側に位置され、下横片９ｃは水上側フランジ６ａの下方に位置される。また、固定具１０と上横片９ａとでのフランジ６の挟持は、本例の場合、下横片９ｃの貫通孔１５に挿通された固定具１０の軸部１０ａに螺合されたナット１６を下横片９ｃ側に螺進させて、固定具１０を先端方向（上横片９ａ）に向けて突出させ、固定具１０の先端で水上側フランジ６ａを上横片９ａに押し付けることで行われる。無論、貫通孔１５にめねじを刻設した場合には、貫通孔１５に下方から固定具１０を螺進させ、貫通孔１５を通した固定具１０の先端で水上側フランジ６ａを上横片９ａに押し付けることで行われる。このように屋根パネル１及び母屋４の両者に固定した屋根用取付具７によって、屋根パネル１の母屋４への固定が為されている。
【００１７】
上記屋根パネル１の母屋４への取付構造における施工作業は、まず、図４（ａ）のように、屋根パネル１の垂木３に屋根用取付具７を取り付ける。このときには、屋根用取付具７の引掛け部９はその自重により屋根パネル１の垂木３から吊り下げられた状態となっている。次に、図４（ｂ）〜（ｄ）のように、屋根用取付具７を取り付けた屋根パネル１を、母屋４に対してその上方且つ水上側から近接させる（矢印Ａ）。この屋根パネル１の母屋４への近接時には、上述したように屋根用取付具７の引掛け部９が屋根パネル１の垂木３から吊り下げられた状態となっているので、引掛け部９が母屋４の水上側フランジ６ａの端縁に当たり易くなっており、引掛け部９が母屋４の水上側フランジ６ａに当たるとそのまま引掛け部９の上横片９ａ、縦片９ｂ及び下横片９ｃで囲まれる部位に水上側フランジ６ａが導入されて、引掛け部９が水上側フランジ６ａに引掛かるようにされる。引掛け部９が水上側フランジ６ａに引掛かった状態では、図１のように母屋４に対する屋根パネル１の位置決め載置が自然に為される。つまり、引掛け部９の水上側フランジ６ａへの引掛けによると、母屋４に傾いて載置された屋根パネル１の下方への滑りが抑えられ、屋根パネル１の自重が母屋４に支持される。なお、屋根パネル１は複数の母屋４に載置されるかたちで位置決めが為されるので、屋根パネル１の傾斜は複数の母屋４に屋根パネル１が載置されることで一意に決定される。屋根用取付具７の引掛け部９による位置決めを伴って屋根パネル１が母屋４に載置された後には、下横片９ｃの貫通孔１５に固定具１０を挿通させると共に、固定具１０の先端を母屋４の水上側フランジ６ａの下方に押し当てて、固定具１０と上横片９ａとの間に水上側フランジ６ａを挟持させることで、屋根用取付具７を母屋４に固定させる。以上のようにして屋根パネル１は屋根用取付具７を介して母屋４に取り付けられる。
【００１８】
上述したように、本例の屋根パネル１の母屋４への取付構造にかかる施工作業にあっては、屋根パネル１の母屋４への固定を行う屋根用取付具７に屋根パネル１の母屋４への位置決め機能をも備えることができたため、従来技術の屋根パネル１の母屋４への位置決めのための引掛け治具２０を用いることなく行うことができたものである。つまり、屋根パネル１の母屋４への位置決め、固定は同一部材である屋根用取付具７によって行わせることができ、したがって従来の屋根パネル１に引掛け治具２０を着脱する作業を省くことができ、施工性が向上しているのである。また、上記施工作業にあっては、屋根用取付具７には屋根パネル１を母屋４に近接させた際に母屋４の水上側に引掛け得る引掛け部９を備えたことで、予め屋根用取付具７を屋根パネル１に取り付けて施工作業を行わせ、引掛け部９を母屋４に引掛けて屋根パネル１の母屋４への位置決めを行った際には屋根用取付具７が母屋４への取付け可能な所定位置に配置され、そのまま固定具１０で屋根用取付具７と母屋４との固定を行わせることができたことから、位置決め作業、固定作業をスムーズに行うことができ、屋根パネル１の母屋４への取付施工の施工性が向上しているのである。また、本例の屋根用取付具７にあっては、引掛け部９と垂木固定部８とが自由状態で枢支連結されていることで、様々な屋根パネル１の傾斜角に対応可能にでき、つまり汎用性を備えているといった利点もある。
【００１９】
【発明の効果】
上記のように本発明の請求項１記載の発明にあっては、野地板に垂木を取り付けてパネル化した屋根パネルを型枠状の横架材である母屋に載置し、屋根パネルと母屋との間に垂木固定部と引掛け部とからなる屋根用取付具を配置し、垂木固定部を屋根パネルの垂木に固定すると共に、上横片と縦片と下横片とで水下側に開口せる側面視コ字状に形成した引掛け部を母屋の上面のフランジに上方且つ水上側から引掛け係止し、フランジの下方に配置した下横片にボルトのような固定具を設け、この固定具の先端と母屋のフランジの上面に載置した上横片とでフランジを挟持したので、垂木に屋根用取付具を取り付けた屋根パネルを母屋に水上側から近接させると、屋根用取付具の引掛け部が母屋のフランジにその水上側から引掛って母屋に対して屋根パネルを位置決めでき、この位置決めした状態で、屋根用取付具の引掛け部の下横片に設けた固着具の先端をフランジに押し当てると、固着具と上横片とでフランジを挟持、固定できるのであり、つまり母屋に対する屋根パネルの位置決め、固定作業が、従来のように引掛け治具なるものを用いずとも屋根用取付具のみで行わせることができると共にその施工作業もスムーズに行うことができ、施工性の大幅な向上が図られている。
【００２０】
また、請求項２記載の発明にあっては、上記請求項１の効果に加え、屋根用取付具の垂木固定部と引掛け部の上横片とを回転自在に枢支連結したので、屋根パネルに屋根用取付具を取り付けた状態では引掛け部が自重によって屋根パネルから吊り下げられた状態となり、引掛け部が略垂直状態となって母屋と接触し易くなるから引掛け部を母屋に引掛け易くでき、施工性の向上を図ることができる。
【図面の簡単な説明】
【図１】本発明の実施の形態の例の屋根パネルの母屋への取付構造を示す側面図である。
【図２】同上の要部の一部切欠斜視図である。
【図３】同上の屋根用取付具の分解斜視図である。
【図４】（ａ）〜（ｄ）は同上の屋根パネルの母屋への取付施工を順に説明する説明図である。
【図５】従来技術の例の屋根用取付具の斜視図である。
【図６】同上の屋根パネルの母屋への取付構造であって、（ａ）は側面図であり、（ｂ）は要部の一部切欠斜視図である。
【図７】同上の引掛け治具の斜視図である。
【図８】（ａ）（ｂ）は引掛け治具を用いた施工を説明する説明図である。
【符号の説明】
１  屋根パネル
２  野地板
３  垂木
４  母屋
５  ウェブ
６  フランジ
７  屋根用取付具
８  垂木固定部
９  引掛け部
９ａ  上横片
９ｂ  縦片
９ｃ  下横片
１０  固定具
１３  第１の軸受部
１４  第２の軸受部
１５  貫通孔
１７  軸部材
【図１】
2004324364.tif 000003
【図２】
2004324364.tif 000004
【図３】
2004324364.tif 000005
【図４】
2004324364.tif 000006
【図５】
2004324364.tif 000007
【図６】
2004324364.tif 000008
【図７】
2004324364.tif 000009
【図８】
2004324364.tif 000010